(57)【特許請求の範囲】
【請求項１】
第１の部材と、
前記第１の部材上に相対移動可能に取付けられた第２の部材と、
前記第１の部材と前記第２の部材の間に介在した転動体と、
前記第２の部材の両端部に取付けられ、前記第１の部材との隙間を覆うシール部材と、を備え、
自動給油方式によって潤滑用グリースが供給される直動装置において、
前記直動装置の出荷時に、前記第１の部材と前記第２の部材との間に防錆用グリースが充填されており、
前記シール部材は、前記自動給油方式によって供給される前記潤滑用グリースが、前記防錆用グリースを前記シール部材と前記第１の部材との間を通して前記第２の部材の外へ押し出すことを許し、
前記防錆用グリースは前記潤滑用グリースよりもちょう度が低いことを特徴とする直動装置。
【請求項２】
前記防錆用グリースは、混和ちょう度が３１０から３４０までの範囲内にあることを特徴とする請求項１に記載の直動装置。
【請求項３】
前記第２の部材には、前記第１の部材と前記第２の部材との間に前記防錆用グリース及び前記潤滑用グリースを充填するためのグリース供給口が設けられていることを特徴とする請求項１又は２に記載の直動装置。
【請求項４】
前記潤滑用グリースは、混和ちょう度が４４５から４７５の範囲内にあることを特徴とする請求項１ないし３のいずれか一項に記載の直動装置。
【請求項５】
ねじ軸と、
複数のボールを介して前記ねじ軸に取り付けられたナットと、
前記ナットに固定され、前記ねじ軸と接触して防錆用グリースを封止するシール部材と、を備え、
自動給油方式によって潤滑用グリースが供給されるボールねじ装置において、
前記ボールねじ装置の出荷時において、前記ねじ軸と前記ナットとの間に前記防錆用グリースが充填されており、
前記シール部材は、前記自動給油方式によって供給される前記潤滑用グリースが、前記防錆用グリースを前記シール部材と前記ねじ軸との間を通して前記ナットの外へ押し出すことを許し、
前記防錆用グリースは前記潤滑用グリースよりもちょう度が低いことを特徴とするボールねじ装置。
【請求項６】
前記防錆用グリースは、混和ちょう度が３１０から３４０までの範囲内にあることを特徴とする請求項５に記載のボールねじ装置。
【請求項７】
前記ナットには、前記ねじ軸と前記ナットとの間に前記防錆用グリース及び前記潤滑用グリースを充填するためのグリース供給口が設けられていることを特徴とする請求項５又は６に記載のボールねじ装置。
【請求項８】
前記潤滑用グリースは、混和ちょう度が４４５から４７５の範囲内にあることを特徴とする請求項５ないし７のいずれか一項に記載のボールねじ装置。
【請求項９】
第１の部材と、
前記第１の部材上に相対移動可能に取付けられた第２の部材と、
前記第１の部材と前記第２の部材の間に介在した転動体と、
前記第２の部材の両端部に取付けられ、前記第１の部材との隙間を覆うシール部材と、を備え、
自動給油方式によって潤滑用グリースが供給される直動装置の防錆方法において、
前記自動給油方式によって供給される前記潤滑用グリースが、前記第１の部材と前記第２の部材との間に充填される防錆用グリースを、前記シール部材と前記第１の部材との間を通して前記第２の部材の外へ押し出すことを許すように、前記シール部材を前記第２の部材の両端部に取付け、
前記直動装置の出荷前に、前記第１の部材と前記第２の部材との間に前記潤滑用グリースよりもちょう度が低い前記防錆用グリースを充填することを特徴とする直動装置の防錆方法。
【請求項１０】
前記防錆用グリースは、混和ちょう度が３１０から３４０までの範囲内にあることを特徴とする請求項９に記載の直動装置の防錆方法。
【請求項１１】
前記第２の部材には、前記第１の部材と前記第２の部材との間に前記防錆用グリース及び前記潤滑用グリースを充填するためのグリース供給口が設けられていることを特徴とする請求項９又は１０に記載の直動装置の防錆方法。
【請求項１２】
前記潤滑用グリースは、混和ちょう度が４４５から４７５の範囲内にあることを特徴とする請求項９ないし１１のいずれか一項に記載の直動装置の防錆方法。
【請求項１３】
第１の部材と、
前記第１の部材上に相対移動可能に取付けられた第２の部材と、
前記第１の部材と前記第２の部材の間に介在した転動体と、
前記第２の部材の両端部に取付けられ、前記第１の部材との隙間を覆うシール部材と、を備え、
自動給油方式によって潤滑用グリースが供給される直動装置の防錆剤除去方法において、
前記第１の部材と前記第２の部材の間に充填され、前記潤滑用グリースよりもちょう度が低い防錆用グリースを、前記潤滑用グリースによって前記シール部材と前記第２の部材との間を通して前記第１の部材の外へ押し出すことを特徴とする直動装置の防錆剤除去方法。
【請求項１４】
前記防錆用グリースは、混和ちょう度が３１０から３４０までの範囲内にあることを特徴とする請求項１３に記載の直動装置の防錆剤除去方法。
【請求項１５】
前記第２の部材には、前記第１の部材と前記第２の部材との間に前記防錆用グリース及び前記潤滑用グリースを充填するためのグリース供給口が設けられていることを特徴とする請求項１３又は１４に記載の直動装置の防錆剤除去方法。
【請求項１６】
前記潤滑用グリースは、混和ちょう度が４４５から４７５の範囲内にあることを特徴とする請求項１３ないし１５のいずれか一項に記載の防錆剤除去方法。
【発明の詳細な説明】
【技術分野】
【０００１】  本発明は、半導体製造装置、圧縮成形機、射出成形機、あるいは一般搬送装置等に使用されるボールねじ装置、リニアガイド装置などの直動装置、直動装置の防錆方法及び防錆用グリースの除去方法に関する。
【背景技術】
【０００２】  直動装置とは、第１の部材と、第２の部材と、第１の部材と第２の部材との間に介在し、第２の部材と第１の部材とを低摩擦で相対移動可能にする転動体とを備えた装置をいう。直動装置としては、例えば、ボールねじ装置、リニアガイド装置がある。【０００３】  ボールねじ装置は、ナットの内周面とねじ軸の外周面に螺旋状にボール転動溝が形成され、前記ナットに前記ねじ軸が挿入されたときに生じるナットとねじ軸との間のボール転動溝に多数のボールが収容され、前記ナットと前記ねじ軸の相対回転に伴なって前記ボールが転動し、かつ、前記ナットのボール転動溝を循環するように構成されている。【０００４】  リニアガイド装置も、スライダと該スライダを案内するレールの双方にボール転動溝が形成され、前記スライダと前記レールの間の部位のボール転動溝に多数のボールが収納され、前記スライダの移動に伴なって前記ボールが転動し、かつ前記スライダに設けたボール戻し通路とボール転動溝との間をボールが循環する。【０００５】  近年、直動装置においては、機械的にグリースを供給する自動給油方式が採用されることが多くなってきている。自動給油方式を採用すると、グリースの潤滑状態が常に良好になり、作業の手間が少なくて作業効率も良くなる。このように、生産現場においては、生産の無駄な作業時間を少しでも削減して、生産効率を上げる取り組みが行なわれている。【０００６】  ところで、特許文献１には、４０℃において、８〜１８０ｍｍ２/Sの動粘度を有する鉱油及び合成炭化水素から選ばれた少なくとも１種の基油７０〜８０重量％と、Ｃ１２〜Ｃ２４の高級ヒドロキシ脂肪酸のリチウム塩及びＣ１２〜Ｃ２４の高級脂肪酸のリチウム塩から成る増ちょう剤２０〜３０重量％とを含有する潤滑用グリースを封入したボールねじ装置が開示されている。【０００７】  また、この特許文献１では、動的環境下における潤滑性能については、不混和ちょう度を１９０〜２５０(２５℃)の範囲内とすることが望ましく、不混和ちょう度が１９０未満では流動性が低すぎて回転トルクが大きくなり、２５０を越えると軟らか過ぎて発塵量が多くなると開示されているが、使用前の防錆時等の静的環境下におけるグリース性能については検討がなされていない。
【先行技術文献】
【特許文献】
【０００８】
【特許文献１】特開平８−２７０７４７号公報
【特許文献２】特開平１０−２３９６号公報
【発明の概要】
【発明が解決しようとする課題】
【０００９】  例えば、ボールねじ装置は、顧客に納品するまでの一定期間に錆が発生しないよう、外表面に防錆油が塗布され、ナットの中には、防錆用油が充填されている。この防錆油は、塗布するだけで外気を遮断することができるため、処置が簡単で作業性が良いというメリットがある。【００１０】  しかしながら、防錆油が塗布・充填された状態のボールねじ装置が納品されると、作業員が白灯油等を用いて防錆油を洗浄し、その後、潤滑用のグリース(以後、潤滑用グリースと言う)を充填して使用しなければならない。したがって、これらの作業に時間と労力がかかり、上述の生産効率を上げる取り組みを阻害するという問題がある。特に、ナットの中の防錆油を洗い流すのは難しく、ボールねじに傷が付かないように丁寧に取り扱わなければならないため、時間と労力を要する。【００１１】  特許文献２のような洗浄装置を用いて洗浄する場合にも、大がかりな洗浄装置をボールねじ装置に装着して行わなければならず、さらに洗浄後にグリースを隅々まで充填するのにも多大な時間と労力がかかり、生産効率の低下を招くといった問題がある。【００１２】  また、リニアガイド装置などの他の直動装置においても、ボールねじ装置と同様に装置設置前の防錆油の処理に時間と労力を要するといった問題がある。【００１３】  本発明は上記問題点に鑑みてなされたものであり、装置設置前の防錆油の処理にかかる時間と労力を軽減して、生産効率の向上を図る直動装置、ボールねじ装置、直動装置の防錆方法及び防錆剤除去方法を提供することを目的とする。
【課題を解決するための手段】
【００１４】
上記課題を解決するために本発明は、第１の部材と、
前記第１の部材上に相対移動可能に取付けられた第２の部材と、
前記第１の部材と前記第２の部材の間に介在した転動体と、
前記第２の部材の両端部に取付けられ、前記第１の部材との隙間を覆うシール部材と、を備え、
自動給油方式によって潤滑用グリースが供給される直動装置において、
前記直動装置の出荷時に、前記第１の部材と前記第２の部材との間に防錆用グリースが充填されており、
前記シール部材は、前記自動給油方式によって供給される前記潤滑用グリースが、前記防錆用グリースを前記シール部材と前記第１の部材との間を通して前記第２の部材の外へ押し出すことを許し、
前記防錆用グリースは前記潤滑用グリースよりもちょう度が低いことを特徴とする直動装置を提供する。
【００１５】  好ましくは、前記防錆用グリースは、混和ちょう度が３１０から３４０までの範囲内にある。【００１６】
また、好ましくは、前記第２の部材には、前記第１の部材と前記第２の部材との間に前記防錆用グリース及び前記潤滑用グリースを充填するためのグリース供給口が設けられている。
【００１７】  また、好ましくは、前記潤滑用グリースは、混和ちょう度が４４５から４７５の範囲内にある。【００１８】
また、上記課題を解決するために本発明は、ねじ軸と、
複数のボールを介して前記ねじ軸に取り付けられたナットと、
前記ナットに固定され、前記ねじ軸と接触して防錆用グリースを封止するシール部材と、を備え、
自動給油方式によって潤滑用グリースが供給されるボールねじ装置において、
前記ボールねじ装置の出荷時において、前記ねじ軸と前記ナットとの間に前記防錆用グリースが充填されており、
前記シール部材は、前記自動給油方式によって供給される前記潤滑用グリースが、前記防錆用グリースを前記シール部材と前記ねじ軸との間を通して前記ナットの外へ押し出すことを許し、
前記防錆用グリースは前記潤滑用グリースよりもちょう度が低いことを特徴とするボールねじ装置を提供する。
【００１９】  好ましくは、前記防錆用グリースは、混和ちょう度が３１０から３４０までの範囲内にある。【００２０】
また、好ましくは、前記ナットには、前記ねじ軸と前記ナットとの間に前記防錆用グリース及び前記潤滑用グリースを充填するためのグリース供給口が設けられている。
【００２１】  また、好ましくは、前記潤滑用グリースは、混和ちょう度が４４５から４７５の範囲内にある。【００２２】
また、上記課題を解決するために本発明は、第１の部材と、
前記第１の部材上に相対移動可能に取付けられた第２の部材と、
前記第１の部材と前記第２の部材の間に介在した転動体と、
前記第２の部材の両端部に取付けられ、前記第１の部材との隙間を覆うシール部材と、を備え、
自動給油方式によって潤滑用グリースが供給される直動装置の防錆方法において、
前記自動給油方式によって供給される前記潤滑用グリースが、前記第１の部材と前記第２の部材との間に充填される防錆用グリースを、前記シール部材と前記第１の部材との間を通して前記第２の部材の外へ押し出すことを許すように、前記シール部材を前記第２の部材の両端部に取付け、
前記直動装置の出荷前に、前記第１の部材と前記第２の部材との間に前記潤滑用グリースよりもちょう度が低い前記防錆用グリースを充填することを特徴とする直動装置の防錆方法を提供する。
【００２３】  好ましくは、前記防錆用グリースは、混和ちょう度が３１０から３４０までの範囲内にある。【００２４】
また、好ましくは、前記第２の部材には、前記第１の部材と前記第２の部材との間に前記防錆用グリース及び前記潤滑用グリースを充填するためのグリース供給口が設けられている。
【００２５】  また、好ましくは、前記潤滑用グリースは、混和ちょう度が４４５から４７５の範囲内にある。【００２６】
また、上記課題を解決するために本発明は、第１の部材と、
前記第１の部材上に相対移動可能に取付けられた第２の部材と、
前記第１の部材と前記第２の部材の間に介在した転動体と、
前記第２の部材の両端部に取付けられ、前記第１の部材との隙間を覆うシール部材と、を備え、
自動給油方式によって潤滑用グリースが供給される直動装置の防錆剤除去方法において、
前記第１の部材と前記第２の部材の間に充填され、前記潤滑用グリースよりもちょう度が低い防錆用グリースを、前記潤滑用グリースによって前記シール部材と前記第２の部材との間を通して前記第１の部材の外へ押し出すことを特徴とする直動装置の防錆剤除去方法を提供する。
【００２７】  好ましくは、前記防錆用グリースは、混和ちょう度が３１０から３４０までの範囲内にある。【００２８】
また、好ましくは、前記第２の部材には、前記第１の部材と前記第２の部材との間に前記防錆用グリース及び前記潤滑用グリースを充填するためのグリース供給口が設けられている。
【００２９】  また、好ましくは、前記潤滑用グリースは、混和ちょう度が４４５から４７５の範囲内にある。
【発明の効果】
【００３０】  本発明によれば、装置設置前の防錆油の処理にかかる時間と労力を軽減して、生産効率の向上を図る直動装置、ボールねじ装置、直動装置の防錆方法及び防錆剤除去方法を提供することができる。
【図面の簡単な説明】
【００３１】
【図１】図１は本発明の第１実施形態に係るボールねじ装置の構成を示す部分断面図である。
【図２】図２は本発明の第１実施形態に係るボールねじ装置の出荷から稼動に至るまでの工程を示した工程図である。
【図３】図３は本発明の第２実施形態に係るボールねじ装置の構成を示す部分断面図である。
【図４】図４は従来のボールねじ装置の出荷から稼動に至る工程を示した工程図である。
【発明を実施するための形態】
【００３２】    （第１実施形態）  本発明の第１実施形態に係る直動装置としてのボールねじ装置を図１を参照しつつ説明する。図１は、本発明の第１実施形態に係るボールねじ装置１の構成を示す部分断面図である。図１に示すように、ボールねじ装置１は、ねじ軸２と、ねじ軸２に複数のボール３を介して取り付けられたナット４とを有している。
【００３３】  ねじ軸２は、細長い円柱形状の金属製部材からなり、このねじ軸２の外周面には、断面が略円弧形状のねじ溝２ａが螺旋状に形成されている。
【００３４】  ナット４は、ねじ軸２の外径よりも大きな円形の貫通孔が形成された略円筒形状をしており、金属材料から成形されている。ナット４の内周面には、ねじ軸２のねじ溝２ａに対応するように、断面が略円弧形状のねじ溝４ａが螺旋状に形成されている。
【００３５】  ねじ軸２はナット４の上記貫通孔に通されており、互いのねじ溝２ａ、４ａが対向してボール３の転動路を形成している。この転動路内には、金属製の複数のボール３が装填されており、これによってねじ軸２とナット４は結合している。
【００３６】  ナット４の両端の開口部には円形に凹部９が形成され、この凹部９にリング形状のシール部材６が嵌め込まれている。このシール部材６の内周面がねじ軸２の外周面及びねじ溝２ａの面に摺接することによりナット４とねじ軸２との間に異物が侵入しないように構成されている。ナット４のフランジ部４ｂにはグリース供給口８が設けられている。
【００３７】  ボールねじ装置１は、いわゆるコマ循環式のボールネジ装置である。ナット４には、転動したボール３を転動路の所定の地点まで送り戻すための循環用部品として複数のコマ７が備えられている。このコマ７は、ナット４に径方向へ貫通した取り付け孔５に嵌め込まれている。コマ７は、Ｆｅ−２Ｎｉ−ＣやＦｅ−８Ｎｉ等の金属材料を用いた焼結品や樹脂材料から形成することができる。
【００３８】  上記構成により、ボールネジ装置１は、ナット４の回転を防ぎながらねじ軸２を回転させることで、複数のボール３が転動路内を転動し、ナット４を軸方向へ移動させることができる。上記転動路を転動する複数のボール３は、ねじ軸２の周りを約一周すると、コマ７によって再度転動路の元の位置に戻されるという循環をするように構成されている。
【００３９】  ボールねじ装置１は、使用前の静的環境下において、防錆用グリースがナット４とねじ軸２との間に充填されている。また、ナット４とネジ軸２の外表面には防錆グリース又は防錆油が塗布されている。これにより使用前の期間において、ネジ軸２と、ボール３と、ナット４に錆びが発生するのを防ぐことができる。ナット４とねじ軸２との間への防錆用グリースの充填は、ナット４のグリース供給口８から行う。防錆用グリースは、室温環境である２５℃において混和ちょう度範囲が３１０〜３４０のちょう度番号１号のものを用いる。
【００４０】  ボールねじ装置１の使用時においては、室温環境である２５℃において混和ちょう度範囲が４４５〜４７５のちょう度番号０００号の潤滑用グリースを自動給油方式によりグリース供給口８から供給する。使用開始時において、防錆用グリースは、潤滑用グリースによって押され、ナット４両端のシール部材６とねじ軸２との間の僅かな隙間１０から徐々に排出されて、防錆用グリースが潤滑用グリースに入れ替わる。
【００４１】  このように、本発明では、防錆用グリースとして、混和ちょう度範囲３１０〜３４０(室温２５℃)の、軟らかいものを使用しているので、潤滑用グリースの自動給油によって自動的に押し出されることが可能となっている。一方で、防錆用グリースは潤滑用グリースよりもちょう度を低くしており、潤滑用グリースよりも流動性が低く付着力が強いため、漏出しにくく、外気を遮断し、防錆効果を発揮することができる。
【００４２】  防錆用グリースの潤滑用グリースとの違いはちょう度のみで潤滑性に変わりはないので、防錆用グリースが若干装置１内に残っても問題ない。このため、防錆用グリースの洗浄作業をする必要がなくなり、ボールねじ装置１の設置作業時間が短縮化されるので、生産効率を向上させることができる。
【００４３】  上記シール部材６は、潤滑用グリースの自動給油によって防錆用グリースが自動的に押し出されることが可能な構成を有している。すなわち、ねじ軸２の外周面及びねじ溝２ａの面に対するシール部材６の内周面の圧接力が強いと、防錆用グリースが押し出されにくくなるし、圧接力が弱いとシール性が低下することになるので、この圧接力は適度に調整する。
【００４４】  図４を参照して、従来のボールねじ装置の製造から稼動開始までの工程を説明する。
【００４５】  従来のボールねじ装置はメーカにおける製造工程Ｓ１を経た後、出荷前に防錆油塗布工程Ｓ２でボールねじナットの内部、具体的には前記ナットとねじ軸との間のボールねじ転動溝内に防錆油を塗布するとともに、ボールねじ軸の外周面にも防錆油を塗布し、ユーザ側に渡されるまでの間に錆付き等が発生しないように管理される。
【００４６】  この状態で出荷（工程Ｓ３）され、ボールねじ装置がユーザ側に引き渡された後、ユーザ側では防錆油の洗浄がなされる（工程Ｓ４）。この洗浄はユーザ側の作業者が手作業で液剤を用いて洗浄するか、あるいは洗浄装置による自動洗浄が行われるが、いずれもこの洗浄には時間および費用や手数などコストのかかる作業となる。
【００４７】  洗浄完了後、グリース塗布工程Ｓ５において、ちょう度番号０００号の潤滑用グリース（混和ちょう度範囲４４５〜４７５、２５°Ｃ）をナットとねじ軸のボール転動溝に塗布し、対象とする機械装置に組み込み、稼働を開始する。
【００４８】  図２を参照して、本実施形態に係るボールねじ装置の製造から稼動開始までの工程を説明する。
【００４９】  まず、メーカによる本体の製造工程Ｓ１０の後、ボールねじ装置１の組立段階でちょう度番号１号の防錆用グリース（混和ちょう度範囲３１０〜３４０、２５°Ｃ）をナットとねじ軸の間に充填する（防錆用グリース塗布工程Ｓ１１）。この防錆用グリースは流動性が低く、かつ付着力が強いため、外気を遮断し、充分な防錆効果を果たすとともに、潤滑性は潤滑用グリース（ちょう度番号０００号の潤滑用グリース、混和ちょう度範囲４４５〜４７５、２５°Ｃ）と同等である。
【００５０】  ボールネジ装置１はこの状態でメーカから出荷され（工程Ｓ１２）、ユーザに引き渡される。
【００５１】  ユーザ側では防錆用グリースの洗浄を行うことなく、潤滑用グリース（ちょう度番号０００号の潤滑用グリース、混和ちょう度範囲４４５〜４７５、２５°Ｃ）の自動給油がなされる（グリース給油工程Ｓ１３）。前の防錆用のグリースは、この潤滑用グリースの自動給油により、ナット４両端（両端のシールの隙間１０）から押し出されて排出される。一定時間後に、このボールねじ装置のグリースは潤滑用グリースに切り替わり、稼働状態となる。
【００５２】  ここで、上述の防錆用グリースと潤滑用グリースはちょう度番号が異なるのみで潤滑性に大きな違いはないため、潤滑用グリースの自動給油と同時にボールねじ装置の稼働に入ることができる。つまり、防錆用グリースを塗布した状態で直ちに稼働でき、洗浄時間がなく、生産性の向上が図れる。言い換えれば、ユーザ側では製品を受け取った後、洗浄を行わずに直ちに潤滑用グリースの自動給油とボールねじ装置の稼働を行うことができ、ボールねじ装置の設置作業の時間短縮、生産効率の向上に大きく寄与できる。
【００５３】    （第２実施形態）  本願の第２実施形態に係る直動装置としてのリニアガイド装置２１を図３を参照しつつ説明する。図３は、本願の第２実施形態に係るリニアガイド装置２１を示す斜視図である。
【００５４】  図３に示すように、本願の第２実施形態に係るリニアガイド装置２１は、細長い四角柱状の案内レール２２と、案内レール２２を跨いで、案内レール２２の長手方向に相対移動可能に跨嵌したスライダ２３とから構成されている。図３においては、案内レール２２を被取付部２６に取り付けた状態を示している。
【００５５】  案内レール２２は金属製で、図３に示すＺ軸方向に貫通したボルト穴２９が複数形成されている。案内レール２２の長さは用途に応じて適宜調整することができる。案内レール２２には、Ｘ軸方向に延びる断面略円弧状の角部転動溝２７ａ、２７ｂ及び側部転動溝２８ａ、２８ｂが形成されている。側部転動溝２８ａ、２８ｂの底部には逃げ溝が形成されている。案内レール２２は、ボルト穴２９内に挿通されたボルト２１５によって被取付部２６に固定されている。角部転動溝２７ａ、２７ｂ及び側部転動溝２８ａ、２８ｂは、スライダ２３に形成された不図示の転動溝とともに不図示の転動路が転動する転動路を形成する。
【００５６】  スライダ２３は、金属製のスライダ本体２３ａと、スライダ本体２３ａの滑走方向の前後に取り付けられたエンドキャップ２４ａ、２４ｂと、エンドキャップ２４ａ、２４ｂを介してスライダ本体２３に取り付けられたサイドシール２５ａ、２５ｂと、から構成されている。
【００５７】  サイドシール２５ａ、２５ｂは、弾性体からなり、スライダ本体２３と案内レール２２との間に充填されたグリースの漏出を防ぎ、また、スライダ本体２３と案内レール２２との間に異物が侵入するのを防ぐ。サイドシール２５ａ、２５ｂには貫通孔２１０ａ、２１０ｂ（２１０ｂは不図示）が形成されており、貫通孔２１０ａ、２１０ｂを通してエンドキャップ２４ａ、２４ｂに形成された注入口から潤滑用グリースを注入することができる。
【００５８】  リニアガイド装置２１は、使用前の静的環境下において、防錆用グリースがスライダ２３と案内レール２２との間に充填されている。また、スライダ２３と案内レール２２の外表面には防錆グリース又は防錆油が塗布されている。これにより使用前の期間において、案内レール２２と、転動体と、スライダ２３に錆びが発生するのを防ぐことができる。スライダ２３と案内レール２２の間への防錆用グリースの充填は、貫通孔２１０ａ、２１０ｂから行う。防錆用グリースは、室温環境である２５℃において混和ちょう度範囲が３１０〜３４０のちょう度番号１号のものを用いる。
【００５９】  リニアガイド装置２１の使用時においては、室温環境である２５℃において混和ちょう度範囲が４４５〜４７５のちょう度番号０００号の潤滑用グリースを自動給油方式により貫通孔２１０ａ、２１０ｂから供給する。使用開始時において、防錆用グリースは、潤滑用グリースによって押され、サイドシール２５ａ、２５ｂと案内レール２２との間の僅かな隙間から徐々に排出されて、防錆用グリースが潤滑用グリースに入れ替わる。
【００６０】  このように、本発明によれば、リニアガイド装置においても、上記ボールねじ装置と同様の効果を得ることができる。
【００６１】  本第２実施形態においても、上記第１実施形態において図２を用いて説明した製造から稼動開始までの工程と同様の工程を採用することができる。即ち、リニアガイド装置２１の製造（工程Ｓ１０）の後、所定の防錆用グリースを塗布及び充填し（工程Ｓ１１）、リニアガイド装置２１を出荷し（工程Ｓ１２）、ユーザーが所定の潤滑用グリースを自動給油し（工程Ｓ１３）、稼動を開始する（工程Ｓ１４）。この工程においては、防錆用グリースの洗浄作業が無く、リニアガイド装置を設置するための作業時間が短縮され、生産効率の向上が図れる。
【００６２】  以上、本発明の理解を容易にするために具体的な実施形態の説明を行ったが、本発明は上記実施形態に限られず、種々の変更、改良が可能である。
【００６３】  例えば、上記実施形態のボールねじ装置１のボール循環方式については、コマ７を用いたコマ式について説明したが、これに限らず、チューブ式、エンドデフレクタ式、あるいはエンドキャップ式であっても良い。
【００６４】  以上のように、本発明によれば、設置前の防錆油の処理にかかる時間と労力を軽減して、生産効率の向上を図る直動装置、ボールねじ装置、直動装置の防錆方法及び防錆剤除去方法を提供することができる。
【符号の説明】
【００６５】１          ボールねじ装置２          ねじ軸２ａ        ねじ溝３          ボール４          ナット４ａ        ねじ溝４ｂ        フランジ部５          取り付け孔６          シール部材７          コマ８          グリース供給口９          凹部１０        隙間２１        リニアガイド装置２２        案内レール２３        スライダ２３ａ      スライダ本体２４ａ、２４ｂ  エンドキャップ２５ａ、２５ｂ  サイドシール２６        被取付部２７ａ、２７ｂ  角部転動溝２８ａ、２８ｂ  側部転動溝２９        ボルト穴２１０ａ    貫通孔２１５      ボルト
【図１】
0006520925.tif 000002
【図２】
0006520925.tif 000003
【図３】
0006520925.tif 000004
【図４】
0006520925.tif 000005